(57)【要約】【課題】他人と違いのある自分だけの独自性のあるランドセルとすることができ、ランドセルの新たな販売促進のサービスとして展開することができるランドセルを提供する。【解決手段】ランドセル１の背負い帯４に対してランドセル１を背負ったときに身体の前方に向く位置に、ランドセル１の購入者が選んだ装飾体５を取付ける。【選択図】図１
2011194112.tif 000002
【特許請求の範囲】
【請求項１】
ランドセルにおける背負い帯に対して、ランドセルを背負ったときに身体の前方に向く位置に、ランドセルの購入者が選んだ装飾体を固定したランドセル。
【請求項２】
上記装飾体が、背負い帯に対する取付け部材に取付けられ、前記取付け部材を、背負い帯に対してランドセルを背負ったときに身体の前方に向く位置に重ね、この取付け部材と背負い帯の重なり部分を締結具で固定した請求項１に記載のランドセル。
【請求項３】
ランドセルにおける背負い帯に装飾体を取付けるランドセルへの装飾体の取付け方法であり、前記装飾体を複数種類用意し、ランドセルの購入者に所望の装飾体を選択させ、選んだ装飾体を購入したランドセルの背負い帯に対してランドセルを背負ったときに身体の前方に向く位置に固定するランドセルへの装飾体の取付け方法。
【請求項４】
上記装飾体が、両側に貫通孔が設けられた取付け部材に取付けられ、背負い帯に対する装飾体の取付けに際して前記背負い帯に取付け部材の貫通孔と適合する一対の取付け孔を穿設し、前記取付け部材を背負い帯に重ねて一致させた貫通孔と取付け孔に締結具を挿通し、この締結具で取付け部材と背負い帯を固定する請求項３に記載のランドセルへの装飾体の取付け方法。
【発明の詳細な説明】
【技術分野】
【０００１】
この発明は、背負い帯に装飾体を取付けることによって商品価値の向上を図ることができるランドセルと、この背負い帯への装飾体の取付をランドセル販売の新たなビジネスとして展開することができるランドセルへの装飾体の取付け方法に関する。
【背景技術】
【０００２】
周知のように、ランドセルは、ランドセル本体の背板側に左右一対の背負い帯を取付けた構造を有し、児童が背負い帯で背負うことにより、両手が空いた状態で歩行できるようになっている。
【０００３】
オーダーメイドの特注品は別として、従来の一般的なランドセルの販売においては、低価格商品から高価格商品までを揃える価格形態の多様化によって対応してきたが、近年は、価格面だけでなく、購入者のより幅広い要望に対応するため、更に、カラーバリエーションの充実、ランドセルに取付ける各種付属部品の充実等が図られるようになっている。
【０００４】
従来の一般的なランドセルに各種付属部品を取付ける例として、ランドセルの蓋板や背負い帯等に、反射光の機能がある止め鋲や蓄光材を含む反射材を取付け、装飾性と児童の安全を図るようにしたものが提案されている（例えば、特許文献１と２参照）。
【先行技術文献】
【特許文献】
【０００５】
【特許文献１】実用新案登録第３０３３３１３号公報
【特許文献２】実用新案登録第３０７４８３１号公報
【発明の概要】
【発明が解決しようとする課題】
【０００６】
ところで、個人的に所有する耐久性のある商品を購入する場合の一般購買者の意識として、他人と違いのある自分だけのものを持ちたいという要望が多く、当然ながらランドセルの購入においても、他人と違うオリジナリティーのあるものを持ちたい、持たせてやりたいという傾向にある。
【０００７】
特にランドセルの場合、親だけでなく入学祝を兼ねて親せきや友人が購入する場合が多く、使用する児童の意向と価格を参酌しながら商品を選ぶことになるが、従来の一般的なランドセルの販売形態は、工場で製作された商品を完成品とし、これを顧客の求めに応じて販売する販売形態が取られているため、どうしても量産品としてのイメージがあり、他人と違うものを持ちたい、持たせてやりたいという要望をかなえることができていないのが実情である。
【０００８】
しかしながら、従来のランドセルは、ランドセルに反射光の機能がある止め鋲や蓄光材を含む反射材を装飾的に取付け、見た目の変化で購買者の目を引くようにしても、所詮は量産品としてのイメージがあり、製造後の製品をそのままの状態で販売するため、他人と違いのある自分だけのランドセルを持ちたいという希望に対応することができないという問題がある。
【０００９】
そこで、この発明の課題は、完成した製品であるランドセルに対して、購入者が選んだ装飾部材を後付によって取付けることにより、他人と違いのある自分だけの独自性のあるランドセルとすることができ、ランドセルの新たな販売促進のサービスとして展開することができるランドセルとランドセルへの装飾体の取付け方法を提供することにある。
【課題を解決するための手段】
【００１０】
上記の課題を解決するため、この発明は、ランドセルにおける背負い帯に対して、ランドセルを背負ったときに身体の前方に向く位置に、ランドセルの購入者が選んだ装飾体を固定したものである。
【００１１】
上記装飾体が、背負い帯に対する取付け部材に取付けられ、前記取付け部材を、背負い帯に対してランドセルを背負ったときに身体の前方に向く位置に重ね、この取付け部材と背負い帯の重なり部分を締結具で固定した構造とすることができる。
【００１２】
また、ランドセルにおける背負い帯に装飾体を取付けるランドセルへの装飾体の取付け方法であり、前記装飾体を複数種類用意し、ランドセルの購入者に所望の装飾体を選択させ、選んだ装飾体を購入したランドセルの背負い帯に対してランドセルを背負ったときに身体の前方に向く位置に固定するようにしたものである。
【００１３】
上記装飾体が、両側に貫通孔が設けられた取付け部材に取付けられ、背負い帯に対する装飾体の取付けに際して前記背負い帯に取付け部材の貫通孔と適合する一対の取付け孔を穿設し、前記取付け部材を背負い帯に重ねて一致させた貫通孔と取付け孔に締結具を挿通し、この締結具で取付け部材と背負い帯を固定するようにすることができる。
【００１４】
ここで、上記取付け部材は、背負い帯と同様の材料を用い、背負い帯の幅に見合う長さの横長の帯状に形成され、締結具であるカシメ鋲を挿通するため、両端部寄りの位置に一対の貫通孔が穿設されている。
【００１５】
上記取付け部材の前面に取付ける装飾体は、その裏面側に取付け部材の挿通環を設けて形成され、取付け部材を挿通環に通すことにより、取付け部材の前面に対する装飾体の取付けが行えるようになっている。
【００１６】
この装飾体は、例えば、アルファベットの各文字を表現したものや、ハート形、蝶形等の装飾性のある形状に形成し、前面に人工宝石を散りばめたような構造になっており、ランドセルを購入した人にこれらの装飾体の中から希望のものを選択してもらい、特に、文字を表現した装飾体の場合、ランドセルを使用する児童の名前に該当する頭文字のものを選び、選んだ装飾体を背負い帯に取り付けてランドセルを手渡すようにする。
【発明の効果】
【００１７】
この発明によると、ランドセルにおける背負い帯に対して、ランドセルを背負ったときに身体の前方に向く位置に装飾体を固定したので、ランドセルを背負ったときに正面から装飾体が目に付くことになり、装飾性のある新感覚のランドセルになる。
【００１８】
また、完成した製品であるランドセルの背負い帯に対して、購入者が選んだ装飾体を後付によって取付けることにより、他人と違いのある自分だけの独自性のあるランドセルとすることができる。
【００１９】
更に、ランドセルの背負い帯に対して、購入者が選んだ装飾体を後付によって取付けることにより、ランドセルの販売時に購入者の他人と違うオリジナリティーのあるものを持ちたいという気持ちと合致し、ランドセルの新たな販売促進のサービスとして展開することができる
【図面の簡単な説明】
【００２０】
【図１】この発明に係るランドセルの斜視図
【図２】（ａ）はこの発明に係るランドセルの背負い帯に取付けた装飾体の拡大した正面図、（ｂ）は（ａ）の矢印ｂ−ｂでの拡大した横断平面図
【図３】図２（ａ）の矢印ａ−ａでの拡大した縦断側面図
【図４】（ａ）はこの発明のランドセルに用いる装飾体の他の例を示す拡大した正面図、（ｂ）は同背面図、（ｃ）は（ａ）の矢印ｃ−ｃでの縦断側面図
【発明を実施するための形態】
【００２１】
以下、この発明の実施の形態を図示例に基づいて説明する。
【００２２】
図１のように、ランドセル１は、収納部となるランドセル本体２における背板３の側に、背負ったときに上部が両肩に適合するようになっている左右一対の背負い帯４を取付けた周知の構造になっている。
【００２３】
上記ランドセル１における背負い帯４には、このランドセル１を背負ったときに身体の前方に向く位置に装飾体５が固定されている。
【００２４】
図２乃至図４のように、上記装飾体５は、背負い帯４に対する取付け部材６に取付けられ、前記取付け部材６を、背負い帯４に対してランドセル１を背負ったときに身体の前方に向く位置に重ね、この取付け部材６と背負い帯４の重なり部分を締結具７で固定する。
【００２５】
上記取付け部材６は、背負い帯４と同様の色彩や異色の皮革又は人工皮革、金属板、樹脂板等を材料に用い、背負い帯４の幅に見合う長さの横長の帯状に形成され、締結具７であるカシメ鋲７ａを挿通するため、両端部寄りの位置に一対の貫通孔８が穿設されている。なお、締結具７は、縫着する縫い糸を用いるようにしてもよく、孔加工が不要になる。
【００２６】
上記取付け部材６の前面に取付ける装飾体５は、その裏面側に縦断面コ字状で背面が扁平な挿通環９を設けて形成され、取付け部材６を前記挿通環９に通すことにより、取付け部材６の前面中央位置に対する装飾体５の取付けが行えるようになっている。
【００２７】
この装飾体５は、図１と図２の場合、金属や樹脂を材料に用いてアルファベットの文字を表現したものを示し、また、図４の場合はハート形に形成したものであり、これらの表面に着色やメッキを施すとともに、前面に人工宝石５ａ等を散りばめたり、模様を表示したような構造になっている。
【００２８】
上記装飾体５は、多数の種類を用意し、アルファベットの文字の場合各文字を用意することにより、ランドセル１を使用する児童の頭文字に該当するものを選択することができ、また、図４に示したハート形以外に蝶形や花形等の各種デザインを採用することができる。
【００２９】
この発明のランドセルは、上記のような構成であり、ランドセル１の販売において、ランドセル１を購入した人に、上記した装飾体５の中から希望のものを選択してもらい、選んだ装飾体５を、例えば、売り場において、背負い帯４のランドセル１を背負ったときに身体の前方に向く位置に取り付け、その後ランドセル１を購入者に手渡すようにする。
【００３０】
上記背負い帯４に装飾体５を取付けるには、図２（ｂ）のように、ポンチ等の工具を用いて、背負い帯４のランドセル１を背負ったときに身体の前方に向く位置の両側に、一対の取付け孔１０を上記取付け部材６の貫通孔８と一致する配置で穿設し、次に、購入者が選んだ装飾体５の挿通環９に予め挿通しておいた取付け部材６を背負い帯４の前面に重ね、両端の貫通孔８を取付け孔１０に合わせた状態で、貫通孔８と取付け孔１０にわたってカシメ鋲７ａを挿通し、このカシメ鋲７ａをカシメ処理することにより、図１のように、背負い帯４のランドセル１を背負ったときに身体の前方に向く位置に装飾体５を固定する。
【００３１】
上記装飾体５がアルファベットの文字を表現したものである場合、ランドセル１を使用する児童の名前に該当する頭文字のものを選んでもらうようにする。
【００３２】
上記のように、ランドセル１における背負い帯４の身体の前方に向く位置に装飾体５を固定することにより、ランドセル１を背負ったときに正面から装飾体５が目に付くことで、装飾性のある新感覚のランドセルになる。
【００３３】
また、完成した製品であるランドセル１に対して、背負い帯４に購入者が選んだ装飾体５を後付によって取付けることにより、異なる装飾体５の取付けによって、他人と違いのある自分だけの独自性のあるランドセル１とすることができ、また、ランドセル１の背負い帯４に対して、購入者が選んだ装飾部材５を後付によって取付けることにより、ランドセル１の新たな販売促進のサービスとして展開することができる
【符号の説明】
【００３４】
１        ランドセル
２        ランドセル本体
３        背板
４        背負い帯
５        装飾体
６        取付け部材
７        締結具
７ａ      カシメ鋲
８        貫通孔
９        挿通環
１０      取付け孔
【図１】
2011194112.tif 000003
【図２】
2011194112.tif 000004
【図３】
2011194112.tif 000005
【図４】
2011194112.tif 000006